(57)【特許請求の範囲】
【請求項１】
外側管及び内側管を有する多重管の支持機であって、
前記多重管の延在方向に伸縮可能な円筒状の外側管取付具と、
この外側管取付具内に配置され、当該外側管取付具の収縮状態で前記多重管側の端部が露出する円筒状の内側管取付具と、
前記外側管取付具及び前記内側管取付具を支持して軸心回りに回転し、かつ掘削機に取り付けられて前記多重管の延在方向に移動可能な上側支持具とを有し、
前記外側管取付具に前記外側管が取り付けられ、かつ前記内側管取付具に前記内側管が取り付けられている場合において、
前記外側管取付具と前記外側管とを取り外し、かつ前記外側管取付具を収縮すると、前記内側管取付具と前記内側管との取付け部が露出する構成とされている、
ことを特徴とする多重管の支持機。
【請求項２】
前記上側支持具に伸縮具が取り付けられ、
この伸縮具は、前記外側管取付具にも直接又は下側支持具を介して取り付けられ、
この外側管取付具に対する取付構造は、前記伸縮具に対して当該外側管取付具が軸心回りに回転可能で、かつ前記多重管の延在方向に移動不能となる構造とされ、
前記伸縮具の伸縮に連動して前記外側管取付具が伸縮する構成とされている、
請求項１記載の多重管の支持機。
【請求項３】
請求項１又は請求項２記載の支持機と、
前記多重管を第一多重管として、当該第一多重管に継ぎ足す第二多重管の先端部に取り付けられる先端具と、を有し、
前記第二多重管は外側管及び内側管を有し、
前記第二多重管の外側管に対して、前記第二多重管の内側管が延在方向に移動するのを不能とする位置留め具を有する、
ことを特徴とする多重管の継足し設備。
【請求項４】
請求項１又は請求項２記載の支持機に備わる外側管取付具に１本の単位外側管からなる第一外側管、又は軸方向に継ぎ足された複数本の単位外側管からなる第一外側管が取り付けられ、前記支持機に備わる内側管取付具に１本の単位内側管からなる第一内側管、又は軸方向に継ぎ足された複数本の単位内側管からなる第一内側管が取り付けられている場合において、
前記外側管取付具と前記単位外側管とを取り外し、又は相互に隣接する単位外側管同士を継ぎ外し、
前記支持機に備わる外側管取付具を収縮して、前記内側管取付具と前記単位内側管との取付け部を、又は相互に隣接する単位内側管同士の継足し部を、露出させ、
当該露出部において、前記内側管取付具と前記単位内側管とを取り外し、又は相互に隣接する単位内側管同士を継ぎ外す、
ことを特徴とする多重管の継外し方法。
【請求項５】
請求項４記載の取外し方法によって、掘削位置において、前記外側管取付具と前記単位外側管とを取り外し、又は相互に隣接する外側管同士を継ぎ外し、
更に前記内側管取付具と前記単位内側管とを取り外し、又は相互に隣接する単位内側管同士を継ぎ外し、
他方、掘削位置以外の位置において、外側管及び内側管が備わる第二多重管を地盤に埋め込み、
前記支持機を前記第二多重管の埋め込み位置へ移動し、
前記支持機に備わる内側管取付具と前記第二多重管の内側管とを取り付け、又は前記支持機に備わる単位内側管と前記第二多重管の内側管と継ぎ足し、
前記支持機に備わる外側管取付具を伸長し、
前記支持機に備わる外側管取付具と前記第二多重管の外側管とを取り付け、又は前記支持機に備わる単位外側管と前記第二多重管の外側管とを継ぎ足し、
前記支持機に備わる外側管取付具を収縮するとともに、当該支持機を前記掘削位置へ移動し、
前記第二多重管の内側管と、前記第一多重管の単位内側管とを継ぎ足し、
前記支持機に備わる外側管取付具を伸長し、
前記第二多重管の外側管と前記第一多重管の単位外側管とを継ぎ足す、
ことを特徴とする多重管の継足し方法。
【発明の詳細な説明】
【技術分野】
【０００１】
本発明は、多重管の支持機、継足し設備、継外し方法、及び継足し方法に関するものである。
【背景技術】
【０００２】
現在、地盤の掘削工法としては、先端に掘削ビット等が備わる多重管を使用する工法が知られている。この工法においては、上下方向に移動する支持機によって多重管が支持される。この多重管の支持機は、多重管を上下方向に移動するほか、軸心回りに回転する。
【０００３】
多重管を使用して地盤を掘削する場合、掘削深度によっては、多重管の継足し（錐継ぎ）や継外し（錐外し）が必要になる。例えば、掘削深度が所定長に達したら、掘削中の多重管（第一多重管、第１節）の上側に、他の多重管（第二多重管、第２節）を継ぎ足すことになる。この継足しに際しては、相互に対応する管同士、つまり多重管を構成する外側管同士及び内側管同士を、固定ピン等を挿入して連結する。
【０００４】
しかるに、内側管は外側管によって覆われており、そのままでは固定ピン等を挿入したり（刺したり）、脱着したり（抜いたり）することができない。そこで、外側管の形状等に工夫を凝らし、外側管が内側管を覆った状態でも、内側管に固定ピン等を挿入したり、内側管から固定ピン等を脱着したりすることができる形態の多重管が発案されているようである。
【０００５】
しかるに、内側管に形成された固定ピン等を挿入する箇所は、微妙にずれたり、傾いたりするのが常である。したがって、作業者等はそのずれを考慮しながら固定ピン等を挿入することになるが、上記外側管の形状等に工夫を凝らす形態においては、内側管を目視することができない。結果、作業者等は内側管の「ずれ」を考慮することができず、円滑に固定ピン等を挿入することができないのが実情である。また、そもそも外側管に工夫を凝らす形態には、既存の多重管が使えなくなるという問題がある。
【０００６】
そこで、本発明者等は、多重管自体ではなく、多重管の支持機に工夫を凝らす必要があると考えた。そして、多重管の継足しや継外しを容易にする支持機として、特許文献１を参照するに至った。しかるに、同公報による提案は、多重管の継足しや継外しそのものを容易化するものではない。
【先行技術文献】
【特許文献】
【０００７】
【特許文献１】特開２００６−１１８１８２号公報
【発明の概要】
【発明が解決しようとする課題】
【０００８】
発明が解決しようとする主たる課題は、多重管の継足しや継外しを容易化することができ、しかも当該多重管は既存の多重管であってもよい多重管の支持機、継足し設備、継外し方法、及び継足し方法を提供することにある。
【課題を解決するための手段】
【０００９】
上記課題を解決するための本発明は、次のとおりである。
（請求項１記載の発明）
外側管及び内側管を有する多重管の支持機であって、
前記多重管の延在方向に伸縮可能な円筒状の外側管取付具と、
この外側管取付具内に配置され、当該外側管取付具の収縮状態で前記多重管側の端部が露出する円筒状の内側管取付具と、
前記外側管取付具及び前記内側管取付具を支持して軸心回りに回転し、かつ掘削機に取り付けられて前記多重管の延在方向に移動可能な上側支持具とを有し、
前記外側管取付具に前記外側管が取り付けられ、かつ前記内側管取付具に前記内側管が取り付けられている場合において、
前記外側管取付具と前記外側管とを取り外し、かつ前記外側管取付具を収縮すると、前記内側管取付具と前記内側管との取付け部が露出する構成とされている、
ことを特徴とする多重管の支持機。
【００１０】
（請求項２記載の発明）
前記上側支持具に伸縮具が取り付けられ、
この伸縮具は、前記外側管取付具にも直接又は下側支持具を介して取り付けられ、
この外側管取付具に対する取付構造は、前記伸縮具に対して当該外側管取付具が軸心回りに回転可能で、かつ前記多重管の延在方向に移動不能となる構造とされ、
前記伸縮具の伸縮に連動して前記外側管取付具が伸縮する構成とされている、
請求項１記載の多重管の支持機。
【００１１】
（請求項３記載の発明）
請求項１又は請求項２記載の支持機と、
前記多重管を第一多重管として、当該第一多重管に継ぎ足す第二多重管の先端部に取り付けられる先端具と、を有し、
前記第二多重管は外側管及び内側管を有し、
前記第二多重管の外側管に対して、前記第二多重管の内側管が延在方向に移動するのを不能とする位置留め具を有する、
ことを特徴とする多重管の継足し設備。
【００１２】
（請求項４記載の発明）
請求項１又は請求項２記載の支持機に備わる外側管取付具に１本の単位外側管からなる第一外側管、又は軸方向に継ぎ足された複数本の単位外側管からなる第一外側管が取り付けられ、前記支持機に備わる内側管取付具に１本の単位内側管からなる第一内側管、又は軸方向に継ぎ足された複数本の単位内側管からなる第一内側管が取り付けられている場合において、
前記外側管取付具と前記単位外側管とを取り外し、又は相互に隣接する単位外側管同士を継ぎ外し、
前記支持機に備わる外側管取付具を収縮して、前記内側管取付具と前記単位内側管との取付け部を、又は相互に隣接する単位内側管同士の継足し部を、露出させ、
当該露出部において、前記内側管取付具と前記単位内側管とを取り外し、又は相互に隣接する単位内側管同士を継ぎ外す、
ことを特徴とする多重管の継外し方法。
【００１３】
（請求項５記載の発明）
請求項４記載の取外し方法によって、掘削位置において、前記外側管取付具と前記単位外側管とを取り外し、又は相互に隣接する外側管同士を継ぎ外し、
更に前記内側管取付具と前記単位内側管とを取り外し、又は相互に隣接する単位内側管同士を継ぎ外し、
他方、掘削位置以外の位置において、外側管及び内側管が備わる第二多重管を地盤に埋め込み、
前記支持機を前記第二多重管の埋め込み位置へ移動し、
前記支持機に備わる内側管取付具と前記第二多重管の内側管とを取り付け、又は前記支持機に備わる単位内側管と前記第二多重管の内側管と継ぎ足し、
前記支持機に備わる外側管取付具を伸長し、
前記支持機に備わる外側管取付具と前記第二多重管の外側管とを取り付け、又は前記支持機に備わる単位外側管と前記第二多重管の外側管とを継ぎ足し、
前記支持機に備わる外側管取付具を収縮するとともに、当該支持機を前記掘削位置へ移動し、
前記第二多重管の内側管と、前記第一多重管の単位内側管とを継ぎ足し、
前記支持機に備わる外側管取付具を伸長し、
前記第二多重管の外側管と前記第一多重管の単位外側管とを継ぎ足す、
ことを特徴とする多重管の継足し方法。
【発明の効果】
【００１４】
本発明によると、多重管の継足しや継外しを容易化することができ、しかも当該多重管は既存の多重管であってもよい多重管の支持機、継足し設備、取外し方法、及び継足し方法となる。
【図面の簡単な説明】
【００１５】
【図１】外側管取付具が伸長した状態における多重管の支持機の模式図である。
【図２】外側管取付具が収縮し、外管が取り外された状態における多重管の支持機の模式図である。
【図３】多重管の支持機が上方へ移動し、内管が取り外された状態における多重管の支持機の模式図である。
【図４】多重管を継ぎ足す場合における作業位置の説明図である。
【図５】多重管の支持機から外管を取り外した状態を示す説明図である。
【図６】外管と内管との間の隙間を塞ぐようにシートを被せた状態を示す説明図である。
【図７】多重管の支持機から内管を取り外した状態を示す説明図である。
【図８】多重管の支持機の下方に外管ケーシング架台を設置したした状態を示す説明図である。
【図９】既存の外側管取付具を外管ケーシング架台上に位置させた状態を示す説明図である。
【図１０】多重管の支持機から既存の外側管取付具を取り外した状態を示す説明図である。
【図１１】多重管の支持機の下方に内管ケーシング架台を設置したした状態を示す説明図である。
【図１２】既存の内側管取付具を内管ケーシング架台上に位置させた状態を示す説明図である。
【図１３】多重管の支持機から既存の内側管取付具を取り外した状態を示す説明図である。
【図１４】本形態の内側管取付具（上側部）を内管ケーシング架台上に載置した状態を示す説明図である。
【図１５】多重管の支持機と本形態の内側管取付具（上側部）とを当接させた状態を示す説明図である。
【図１６】多重管の支持機に本形態の内側管取付具（上側部）を取り付けた状態を示す説明図である。
【図１７】多重管の支持機に伸縮具を取り付けた状態を示す説明図である。
【図１８】伸縮具に下側支持具を取り付けた状態を示す説明図である。
【図１９】本形態の内側管取付具（上側部）に本形態の内側管取付具（下側部）を取り付け、もって内側管取付具を構築した状態を示す説明図である。
【図２０】本形態の外側管取付具に保持具を取り付けた状態（１）、及びこれを外管ケーシング架台上に載置した状態（２）、を示す説明図である。
【図２１】多重管の支持機の下方に保持具を取り付けた本形態の外側管取付具を設置した状態を示す説明図である。
【図２２】多重管の支持機に本形態の外側管取付具を取り付けた状態を示す説明図である。
【図２３】預け位置において、多重管の支持機が第二二重管を支持した状態を示す説明図である。
【図２４】第二二重管を地盤に埋め込んだ状態を示す説明図である。
【図２５】第二二重管の外管を取り外し、内管の位置留め具を取り付けた状態を示す説明図である。
【図２６】第二二重管の内管を取り外した状態を示す説明図である。
【図２７】多重管の支持機を第二二重管上に位置させた状態を示す説明図である。
【図２８】多重管の支持機の内側管取付具と第二二重管の内管とを取り付けた状態を示す説明図である。
【図２９】第二二重管の内管の位置留め具を取り外した状態を示す説明図である。
【図３０】多重管の支持機の外側管取付具と第二二重管の外管とを取り付けた状態を示す説明図である。
【図３１】第二二重管を引き上げた状態を示す説明図である。
【図３２】第二二重管から先端具を取り外した状態を示す説明図である。
【図３３】第二二重管を第一二重管上に位置させた状態を示す説明図である。
【図３４】第二二重管の内管と第一二重管の内管とを継ぎ足した状態を示す説明図である。
【図３５】第一二重管の内管の位置留め具を取り外した状態を示す説明図である。
【図３６】第二二重管の外管と第一二重管の外管とを継ぎ足した状態を示す説明図である。
【図３７】二重管の継足し方法の処理フロー図である。
【発明を実施するための形態】
【００１６】
次に、多重管が二重管であり、掘削方向、つまり多重管の延在方向が垂直方向となる場合を例に、本発明を実施するための形態を説明する。
なお、本明細書においては、相対的に外側に位置する管を「外側管」と、相対的に内側に位置する管を「内側管」というが、本形態の二重管においては、相対的に外側に位置する管を単に「外管」と、相対的に内側に位置する管を単に「内管」ともいう。また、一般的に、継足しや継外しという用語は対象が同種の部材同士（例えば、外管同士、内管同士。）である場合に用い、対象が同種の部材同士でない場合は取付けや取外しの用語を用いる傾向にあるが、本明細書においては、対象が同種の部材同士でない場合にも継足しや継外しという用語を用いることがある。
【００１７】
（多重管の支持機）
図１に示すように、本形態の支持機１は、外側管取付具２と、内側管取付具３と、上側支持具４と、伸縮具５と、下側支持具６と、を主に有する。
【００１８】
外側管取付具２は、円筒状の上側部２Ａと、この上側部２Ａ内を上下にスライドする円筒状の下側部２Ｂと、で構成されている。下側部２Ｂのスライドによって、外側管取付具２が全体として上下方向に伸縮（伸長及び収縮）する。
【００１９】
内側管取付具３は、円筒状で、外側管取付具２内に配置されている。図２に示すように、外側管取付具２が収縮すると、内側管取付具３の第一二重管１００側の端部、つまり下端部が露出する。ただし、図示例とは異なり、外側管取付具２が収縮していない状態においても、内側管取付具３の下端部が露出していてもよい。
【００２０】
上側支持具４は、リーダー等の支持軸９１に沿って上下方向に移動する。上側支持具４は、外側管取付具２及び内側管取付具３を支持するが、この支持状態において、外側管取付具２及び内側管取付具３を、それぞれ軸心回りに回転することができる。この回転方向は、同一であっても反対であってもよい。
【００２１】
伸縮具５は、上端部が上側支持具４に、下端部が下側支持具６に取り付けられている。伸縮具５は、上下方向に伸縮し、この伸縮によって上側支持具４と下側支持具６との離間距離を変化させる。伸縮具５は、例えば、油圧シリンダー等で構成される。
【００２２】
下側支持具６は、伸縮具５の下端部に取り付けられているが、更に外側管取付具２の下側部２Ｂにも取り付けられている。この下側部２Ｂ及び下側支持具６の取付け構造は、伸縮具５や下側支持具６に対して上側部２Ａ及び下側部２Ｂで構成される外側管取付具２が軸心回りに回転可能であるが、上下方向へは移動不能となる構造とされている。
【００２３】
特に本形態においては、外側管取付具２の下側部２Ｂに径外方へ突出する環状の一対の突部２Ｘが形成されており、この一対の突部２Ｘ間に下側支持具６の当接部６ａが入り込む構造となっている。これにより、下側支持具６及び下側部２Ｂが、上下方向へ連動することになる。結果、伸縮具５の伸縮に連動して下側部２Ｂが上下方向へ移動し、外側管取付具２が全体としては、上下方向に伸縮することになる。
【００２４】
下側部２Ｂの回転にともなって、この下側部２Ｂの外周面と当接部６ａの内周面との間に摩擦熱が発生する。したがって、両者の間には、オイル等をさしておくのが好ましい。本形態においては、下側部２Ｂの外周面と当接部６ａの内周面との間を覆う部材等が存在しないため、オイル等をさすのみで円滑かつ安全に施工を継続することができる。
【００２５】
本形態とは異なり、下側支持具６の配置を省略し、伸縮具５の形状を異なるものとする等して、当該伸縮具５が直接外側管取付具２の下側部２Ｂに取り付けられる構造とすることもできる。
【００２６】
（二重管の取外し（継外し）方法）
次に、以上の支持機１を使用して二重管を取外す方法（錐外す方法）を説明する。
なお、この説明は、外側管取付具２に１本の単位外管からなる第一外管１０１、又は軸方向に継ぎ足された複数本の単位外管からなる第一外管１０１が取り付けられ、内側管取付具３に１本の単位内管からなる第一内管１０２、又は軸方向に継ぎ足された複数本の単位内管からなる第一内管１０２が取り付けられていることを前提とする。
【００２７】
また、取外し（継外し）箇所は、相互に隣接する単位外管同士、あるいは相互に隣接する単位内管同士とすることもできるが、以下では、第一外管１０１が１本の単位外管で構築され、第一内管１０２が１本の単位内管で構築されており、外側管取付具２と単位外管（第一外管１０１）とを、内側管取付具３と単位内管（第一内管１０２）とを取り外し、もって第一二重管１００を取り外す場合を例に説明する。
【００２８】
第一二重管１００を継外すにあたっては、まず、外側管取付具２から第一外管１０１を取り外す。通常、外側管取付具２と第一外管１０１とは、留め具たる固定ピン等で連結（接続）されているので、この取外しにおいては、当該固定ピンを脱着することになる。
【００２９】
次に、図２に示すように、支持機１に備わる伸縮具５を収縮する。この収縮により、前述したように外側管取付具２も収縮する。外側管取付具２が収縮すると、内側管取付具３の下端部と第一内管１０２の上端部との取付け部が露出する。
【００３０】
そこで、この露出部において内側管取付具３から第一内管１０２を取り外す。通常、内側管取付具３と第一内管１０２とは、留め具たる固定ピン等で連結（接続）されているので、この取外しにおいても、当該固定ピンを脱着することになる。
【００３１】
従来の取外し方法においては、この第一内管１０２の取外しに困難をともなった。しかるに、本形態の支持機１を使用すると、以上のように、第一内管１０２の取付け部を容易に露出した状態とすることができるため、当該第一内管１０２の取外しが極めて容易な作業となる。
【００３２】
第一内管１０２の固定ピン等を脱着したら、図３に示すように、上側支持具４を含む支持機１全体を上方へ移動する。この移動により、第一内管１０２が完全に取り外され、支持機１から第一二重管１００が取り外された状態になる。
【００３３】
（二重管の継足し設備・方法）
次に、第一二重管１００を使用して掘削作業を行い、この掘削作業の途中において、本形態の支持機１を使用して、第一二重管１００に第二二重管２００を継ぎ足す方法（錐継ぐ方法）を説明する。つまり、第１節（第一二重管１００）の上側に第２節（第二二重管２００）を継ぎ足す方法である。
【００３４】
図４に示すように、本形態の方法においては、「掘削位置」での作業と、掘削位置以外の位置である「預け位置」での作業とが存在する。ここで掘削位置とは、掘削機９０及び第一二重管１００を使用して地盤Ｇの掘削や削孔を行う場所を意味する。他方、預け位置とは、第二二重管２００を仮置きする場所を意味する。
【００３５】
掘削機９０は、移動可能であり、例えば、掘削機９０の移動を可能にするベースマシン９５や、このベースマシン９５から上方へ延在するリーダー９１、このリーダー９１を支えるバックステイ９２等が備わる。掘削機９０は、掘削位置と預け位置とを行き来する。
【００３６】
掘削機９０には、本形態の支持機１、あるいは支持機１を構成する部材の一部が異なる装置が取り付けられている。なお、支持機１を構成する部材の一部が異なる装置とは、掘削機９０に取り付けられ、二重管を支持し、かつ軸心回りに回転する従来から使用されている装置であり、本形態の支持機１と部材の一部が異なる装置である。この装置は、二重管の継足しに適するものではないが、以下では、説明を容易化するために、この装置を単に「部材の一部が異なる支持機１」と、符号を付けて説明することもある。
【００３７】
本形態においては、支持機１が、直接的には上側支持具４が、ワイヤー９３や巻上げ機等で構成される上下移動手段によって、リーダー９１に沿って上下方向に移動する構成とされている。
【００３８】
支持機１は、第一二重管１００を支持し、かつ軸心回りに回転する。第一二重管１００の先端部には、通常、地盤Ｇを掘削する掘削ヘッド１０３や、掘削した地盤Ｇを攪拌する攪拌翼１０４等が備えられている。第一二重管１００は、支持機１が上下方向に移動するのにともなって上下方向に移動する。
【００３９】
以下では、本形態の継足し方法について、図３７に示すように、図５から図７までを参照しながら「部材の一部が異なる支持機１から第一二重管１００を取り外す方法」、図８から図２２までを参照しながら「部材の一部が異なる支持機１から本形態の支持機１を構築する方法」、図２３から図２６までを参照しながら「第二二重管２００を埋め置き（仮置き）する方法」、図２７から図３２までを参照しながら「第二二重管２００を回収する方法」、図３３から図３６までを参照しながら「第二二重管２００を第一二重管１００に継ぎ足す方法」の順に説明する。なお、図５から図３６までにおいては、図面上端部に、図示の対象となる作業の「作業位置」（掘削位置又は預け位置）を示している。
【００４０】
部材の一部が異なる支持機１から第一二重管１００を取り外すにあたっては、まず、図５に示すように、掘削位置において、外管１０１の留め具たる固定ピンＰを脱着し、上側支持具４を上方へ移動する。これにより、部材の一部が異なる支持機１の外側管取付具（既存の外側管取付具）８２から外管１０１を取り外される。
【００４１】
この点、図示例のように、第一二重管１００が部材の一部が異なる支持機１に取り付けられている場合は、第一二重管１００を取り外すにあたって、外管１０１が特殊な形状等でない限り、部材の一部が異なる支持機１全体を上方へ移動する必要がある。したがって、第二二重管２００を継ぎ足す必要が存在するようであれば、施工の当初から、本形態の支持機１に第一二重管１００を取り付けて作業を開始するのが好ましい。
【００４２】
外管１０１の取り外しが終了したら、図６に示すように、外管１０１と内管１０２との間に土砂等が入り込まないように、第一二重管１００をくるむようにしてシート１０５を被せる。
【００４３】
そして、図７に示すように、内管１０２の留め具たる固定ピンＰを脱着し、上側支持具４を上方へ移動する。これにより、部材の一部が異なる支持機１の内側管取付具（既存の内側管取付具）８３から内管１０２が取り外され、第一二重管１００の取り外しが完了する。
【００４４】
次に、部材の一部が異なる支持機１から本形態の支持機１を構築する方法について説明する。
【００４５】
上記したようにして、部材の一部が異なる支持機１から第一二重管１００を取り外したら、図８に示すように、部材の一部が異なる支持機１の下方に外管ケーシング架台５１を設置する。
【００４６】
ここで部材の一部が異なる点について、部材の一部が異なる支持機１においては、本形態の外側管取付具２に変えて従来からの外側管取付具（既存の外管取付具）８２が構成要素とされており、本形態の内側管取付具３に変えて従来からの内側管取付具（既存の内管取付具）８３が構成要素とされている。なお、符号９１Ａは、リーダー９１に沿って垂直方向に延在するレール材であり、このレール材９１Ａに拘束されつつ上側支持具４が上下方向に移動する。
【００４７】
外管ケーシング架台５１を設置したら、図９に示すように、上側支持具４を下方へ移動し、既存の外管取付具８２を外管ケーシング架台５１上に位置させる。そして、この状態において、ボルトや固定ピン等の留め具を取り外して上側支持具４と既存の外管取付具８２との連結を解除する。この連結解除は、外管ケーシング架台５１を使用せずに行うこともできるが、外管ケーシング架台５１を使用することで、安全かつ円滑に作業を進めることができる。
【００４８】
既存の外管取付具８２の連結解除が終了したら、図１０に示すように、上側支持具４を上方へ移動する。この移動により、既存の外管取付具８２が支持機１から取り外される。
【００４９】
次に、既存の外管取付具８２及び外管ケーシング架台５１を他へ移動し、図１１に示すように、支持機１の下方に、内管ケーシング架台５２を設置する。
【００５０】
内管ケーシング架台５２を設置したら、図１２に示すように、上側支持具４を下方へ移動し、既存の内管取付具８３を内管ケーシング架台５２上に位置させる。そして、この状態において、ボルトや固定ピン等の留め具を取り外して上側支持具４と既存の内管取付具８３との連結を解除する。この連結解除は、内管ケーシング架台５２を使用せずに行うこともできるが、内管ケーシング架台５２を使用することで、安全かつ円滑に作業を進めることができる。また、内管ケーシング架台５２は、既存の内管取付具１０３を本形態の内側管取付具３に取り換えるために使用するものであり、その形状、大きさ等によっては、外管ケーシング架台５１をそのまま使用することもできる。
【００５１】
既存の内管取付具８３の連結解除が終了したら、図１３に示すように、上側支持具４を上方へ移動する。この移動により、既存の内管取付具８３が支持機１から取り外される。
【００５２】
次に、内管ケーシング架台５２上に残された既存の内管取付具８３を取り除き、図１４に示すように、内管ケーシング架台５２上に本形態の内側管取付具３を構成する上側部３Ａを載置する。
【００５３】
そして、図１５に示すように、上側支持具４を下方へ移動し、ボルトや固定ピン等の留め具を取り付けて内側管取付具３の上側部３Ａと上側支持具４とを連結する。
【００５４】
この連結が終了したら、図１６に示すように、上側支持具４を上方へ移動し、内側ケーシング架台５２を他へ移動する。ここまでで、既存の内管取付具８３が本形態の内側管取付具３に取り換えられたことになる。
【００５５】
そこで、更に本形態の外側管取付具２の取り付けを行うことになるが、その前に、図１７に示すように、上側支持具４を再度下方へ移動し、当該上側支持具４の下端部に伸縮具５を取り付ける。この伸縮具５は、例えば、油圧シリンダー等で構成することができる。ただし、油圧シリンダーを使用する場合は、図１７中に拡大して正面図を示すように、左右方向に一対の油圧シリンダーを取り付け、それぞれの油圧シリンダーが、上端部を起点に前後方向（左右方向と直交する方向。紙面左右方向。）に回動するように構成するのが好ましい。油圧シリンダーが回動するように構成することで、油圧シリンダーの取り付けや、次に説明する下側支持具６の取り付け、油圧シリンダー付近における作業等を行い易くなる。
【００５６】
伸縮具５の取付けが終了したら、図１８に示すように、上側指示具４を若干上方へ移動し、伸縮具５の下端部に下側支持具６を取り付ける。この取付けによって、下側支持具６は、伸縮具５を介して上側支持具４に取り付けられることになる。したがって、下側支持具６は、上側支持具４に連動して上下方向に移動する。ただし、掘削機９０に備わるワイヤー９３等で構成される上下移動手段を下側支持具６に連結し、下側支持具６が主体的に、上側支持具４が従属的に移動するように構成することもできる。
【００５７】
下側支持具６の取り付けが終了したら、図１９に示すように、内側管取付具３の上側部３Ａに内側管取付具３の下側部３Ｂを取り付ける。これにより、上側部３Ａ及び下側部３Ｂで構成される内側管取付具３が上側支持具４に取り付けられた状態となる。
【００５８】
この点、下側部３Ｂは、外側管取付具２の収縮状態において、内側管取付部３の下端部が外側管取付具２から露出する状態となるようにするための部材であり、いわゆる長さ調整具（下側部３Ｂが円筒状である本形態においては長さ調整ロッド）として機能する。したがって、内側管取付具３は、本形態のように２つ、あるいは３つ以上の複数の部材で構成されている必要はなく、１つの部材で構成されていてもよい。ただし、上側支持具４の下方には、他の装置や配管等が存在し、作業が制限される場合がある。したがって、本形態のように、上下方向に分離可能な部材で構成されていると、内側管取付具３の取り付けが容易となる。
【００５９】
内側管取付具３の下側部３Ｂは、別途製作することもできるが、第一内管１０２を構成する単位内管や第二二重管２００を構成する第二内管２０２と同様の管体を使用するのが好ましい。この形態においては、この内側管取付具３の下側部３Ｂが、内管の先導管になる。
【００６０】
下側部３Ｂの取り付けが終了したら、図２０の（１）に示すように、掘削位置、あるいはその近辺において、本形態の外側管取付具２の下側部２Ｂに、保持具７を取り付ける。この保持具７は、前述した下側支持具６の当接部６ａを構成する部材である。
【００６１】
保持具７は、例えば、筒状とされ、中空部に外側管取付具２の下側部２Ｂが位置することになる。保持具７は、例えば、分割可能としておき、外側管取付具２の下側部２Ｂを取り囲んでから各分割部を連結するよう構成しておけば、取付け容易となる。
【００６２】
保持具７を取り付けた外側管取付具２は、図２０の（２）に示すように、外管ケーシング架台５１上に載置して直立させる。
【００６３】
そして、図２１に示すように、上側支持具４を上方へ移動し、支持機１の下方に、当該保持具７が取り付けられた外側管取付具２及び外管ケーシング架台５１を設置する。
【００６４】
この設置が終了したら、図２２に示すように、上側支持具４を下方へ移動し、上側支持具４と外側管取付具２とを連結する。
【００６５】
以上により、既存の装置（部材の一部が異なる支持機１）の既存の外管取付具８２及び既存の内管取付具８３が、それぞれ本形態の外側管取付具２及び内側管取付具３に交換され、もって本形態の支持機１が構築されたことなる。これは、第二二重管２００を継ぎ足す必要がない掘削作業と、第二二重管２００を継ぎ足す必要がある掘削作業とを、同一の掘削機９０を使用して行う場合において、既存の装置をできるだけ生かすための工夫である。しかるに、第二二重管２００を継ぎ足す必要がない掘削作業においても、本形態の外側管取付具２及び内側管取付具３が備わる支持機１を使用することができ、このような場合においては、以上の交換作業を省略することができる。
【００６６】
次に、第二二重管２００を埋め置き（仮置き）する方法について、説明する。
なお、この仮置きは、部材の一部が異なる支持機１を使用して行うこともできるが、以下では、本形態の支持機１を使用して行う場合を例に説明する。
【００６７】
本形態においては、図２３に示すように、預け位置において、支持機１を使用して第二二重管２００を支持する。この第二二重管２００は、図４に示したように、外管２０１及び内管２０２を有し、外管２０１が外側管取付具２に、内管２０２が内側管取付具３に取り付けられている。
【００６８】
第二二重管２００の先端部には、この第二二重管２００の埋め込みを容易化するために、あるいは第二二重管２００内に土砂等が侵入するのを防止するために、先端具２０３が取り付けられている。この先端具２０３には、必要により、掘削ビット等が備えられる。なお、この第二二重管２００の埋め込みは、地盤改良や削孔等を目的とするものではないため、攪拌翼等は備えられていない。
【００６９】
第二二重管２００は、預け位置において、垂直に支持され、図２４に示すように、地盤Ｇに埋め込まれる。この埋め込みに際しては、例えば、支持機１によって第二二重管２００を軸心回りに回転する。
【００７０】
第二二重管２００の埋め込みが終了したら、図２５に示すように、外管２０１の固定ピンＰを脱着し、支持機１に備わる外側管取付具２を収縮する。これにより、支持機１の外側管取付具２から外管２０１が取り外された状態になる。
【００７１】
次に、図２６に示すように、内管２０２に位置留め具Ｃを取り付け、内管２０２の固定ピンＰを脱着し、支持機１に備わる上側支持具４を上方へ移動する。これにより、支持機１の内側管取付具３から内管２０２が取り外された状態になる。
【００７２】
ここで、位置留め具Ｃは、外管２０１に対して内管２０２が下方に落ち込むのを防止するための治具である。したがって、内管２０２の落込みが生じないようであれば、この取付けを省略することができる。
【００７３】
次に、以上のようにして仮置きした第二二重管２００を、第一二重管１００に継ぎ足すに先立って、回収する方法について、説明する。なお、以上の仮置きは、第一二重管１００による掘削に先立って行うことも、第一二重管１００による掘削後に行うこともできるが、常識的には、第一二重管１００による掘削に先立って行う。第一二重管１００による掘削後に行うとすると、地盤Ｇに埋め込む必要がなくなり、意味のない作業となってしまうためである。
【００７４】
第二二重管２００を回収するにあたっては、図２７に示すように、まず、支持機１を預け位置に移動し、第二二重管２００の上方に位置させる。
【００７５】
次に、図２８に示すように、支持機１を下方に移動し、支持機１の下側管取付具３に第二二重管２００の内管２０２を取り付ける。この取付けは、固定ピンＰ等を差し込むことで行う。この取付けは、内管２０２を目視しながら行うことができるため、極めて容易である。
【００７６】
次に、図２９に示すように、内管２０２に取り付けられている位置留め具Ｃを取り外す。この取外しを行っても、既に内管２０２が内側管取付具３に取り付けられているため、内管２０２が落ち込むおそれはない。
【００７７】
位置留め具Ｃを取り外したら、図３０に示すように、外側管取付具２を伸長し、外管２０１に固定ピンＰを挿入して、外側管取付具２に外管２０１を取り付ける。
【００７８】
そして、図３１に示すように、支持機１を上方に移動する等して、第二二重管２００を地盤Ｇから引き抜く。この引抜きに際しては、第二二重管２００を軸心回りに回転させても、回転させなくてもよい。
【００７９】
引抜いた第二二重管２００は、直ぐに掘削位置に移動してもよいが、図３２に示すように、預け位置近辺において、先端具２０３の固定ピンＰを脱着し、第二二重管２００から先端具２０３を取り外しておくとよい。
【００８０】
次に、以上のようにして引き抜いた第二二重管２００（第２節）を第一二重管１００（第１節）に継ぎ足す方法について説明する。
【００８１】
引き抜いた第二二重管２００は、図３３に示すように、支持機１で支持したまま掘削位置まで移動し、第一二重管１００の上方に位置させる。
【００８２】
次に、支持機１を下方に移動し、第一二重管１００の内管１０２と第二二重管２００の内管２０２とを継ぎ足す。この継足しに際しては、特に図示はしていないが、固定ピン等を挿入する。
【００８３】
次に、図３５に示すように、第一二重管１００の内管１０２に位置留め具Ｃが取り付けられている場合は、この位置留め具Ｃを取り外す。
【００８４】
そして、特に図示はしないが外側管取付具２を伸長して、図３６に示すように、第一二重管１００の外管１０１と第二二重管２００の外管２０１とを継ぎ足す。この継足しに際しては、固定ピン等を挿入する。
【００８５】
このようにして、第二二重管２００が第一二重管１００の上側に継ぎ足されることになる。後は、順次、支持機１を下方へ移動して掘削作業を進めればよい。また、掘削深度が深くなるようであれば、以上と同様の方法で、第３節、第４節と順次単位二重管を継ぎ足せばよい。
【産業上の利用可能性】
【００８６】
本発明は、多重管の支持機、継足し設備、継外し方法、及び継足し方法として適用可能である。
【符号の説明】
【００８７】
１  多重管の支持機
２  外側管取付具
２Ａ  上側部
２Ｂ  下側部
２Ｘ  突部
３  内側管取付具
４  上側支持具
５  伸縮具
６  下側支持具
６ａ  当接部
７  保持具
８２  既存の外管取付具
８３  既存の内管取付具
９０  掘削機
９１  リーダー
９２  バックステイ
９３  ワイヤー
９５  ベースマシン
１００  第一二重管
１０１  第一外管
１０２  第一内管  
１０３  掘削ヘッド
１０４攪拌翼
２００  第二二重管
２０１  第二外管
２０２  第二内管  
２０３  先端具
Ｃ  位置留め具
Ｐ  固定ピン
【図１】
0006520221.tif 000002
【図２】
0006520221.tif 000003
【図３】
0006520221.tif 000004
【図４】
0006520221.tif 000005
【図５】
0006520221.tif 000006
【図６】
0006520221.tif 000007
【図７】
0006520221.tif 000008
【図８】
0006520221.tif 000009
【図９】
0006520221.tif 000010
【図１０】
0006520221.tif 000011
【図１１】
0006520221.tif 000012
【図１２】
0006520221.tif 000013
【図１３】
0006520221.tif 000014
【図１４】
0006520221.tif 000015
【図１５】
0006520221.tif 000016
【図１６】
0006520221.tif 000017
【図１７】
0006520221.tif 000018
【図１８】
0006520221.tif 000019
【図１９】
0006520221.tif 000020
【図２０】
0006520221.tif 000021
【図２１】
0006520221.tif 000022
【図２２】
0006520221.tif 000023
【図２３】
0006520221.tif 000024
【図２４】
0006520221.tif 000025
【図２５】
0006520221.tif 000026
【図２６】
0006520221.tif 000027
【図２７】
0006520221.tif 000028
【図２８】
0006520221.tif 000029
【図２９】
0006520221.tif 000030
【図３０】
0006520221.tif 000031
【図３１】
0006520221.tif 000032
【図３２】
0006520221.tif 000033
【図３３】
0006520221.tif 000034
【図３４】
0006520221.tif 000035
【図３５】
0006520221.tif 000036
【図３６】
0006520221.tif 000037
【図３７】
0006520221.tif 000038